(57)【要約】      （修正有）【課題】簡易な構造かつ容易に使用可能で、保冷および冷却のどちらも可能な容器入り飲料の冷却具を提供する。【解決手段】容器入り飲料の冷却具１Ａは、蓄冷体１１と、蓄冷体１１の保持部２２および解除可能な留め部２３を備えた帯状の本体２０とからなり、飲料が封入された容器の周面に冷却した畜冷体１１を保持した本体２０を巻き付けて、留め部２３により留めることで着脱自在に装着し、容器に封入された飲料を冷却または保冷する。【選択図】図１
0003232781.tif 000002
【実用新案登録請求の範囲】
【請求項１】
蓄冷体と、前記蓄冷体の保持部および解除可能な留め部を備えた可撓性を有する帯状の本体とからなり、飲料が封入された容器の周面に冷却した前記畜冷体を保持した前記本体を巻き付けて前記留め部により留めることで着脱自在に装着し、前記飲料を冷却または保冷することを特徴とする容器入り飲料の冷却具。
【請求項２】
前記畜冷体が棒状または板状であり、前記本体に前記畜冷体を保持する保持部の複数個が前記本体の長さ方向に連続して並設されていることを特徴とする請求項１記載の容器入り飲料の冷却具。
【請求項３】
前記保持部ごとに複数の前記蓄冷体が並列に保持されていることを特徴とする請求項２記載の容器入り飲料の冷却具。
【請求項４】
前記保持部が前記本体の内周面に形成されており、前記容器に装着した際に前記蓄冷体が前記容器の周面に直接接触することを特徴とする請求項１，２または３記載の容器入り飲料の冷却具。
【請求項５】
前記蓄冷体が金属製であることを特徴とする請求項１，２，３または４記載の容器入り飲料の冷却具。
【請求項６】
前記金属がアルミニウムまたはアルミニウム合金であることを特徴とする請求項５記載の容器入り飲料の冷却具。
【請求項７】
前記本体が断熱層を含む多層構造であることを特徴とする請求項１，２，３，４，５または６記載の容器入り飲料の冷却具。
【考案の詳細な説明】
【技術分野】
【０００１】
本考案は、缶やペットボトルなどの容器に封入された飲料を冷却または保冷するための冷却具に関する。
【背景技術】
【０００２】
従来、容器入り飲料は店舗や自宅、または自動販売機などにおいて冷蔵された状態で収納されているため、容器入り飲料を所望する人は冷えた飲料を手軽に入手して飲用することができる。
【０００３】
しかしながら、近年猛暑日となることも多い夏場などにおいては冷えた状態を維持することは困難であり、持ち運び中にぬるくなり快適な飲用に適した温度ではなくなってしまう場合も多かった。
【０００４】
その他、容器入り飲料は一般的に保存性に優れているため常温で保管されることも多いが、これを冷やして飲用しようとした場合、冷蔵庫に入れて冷却を行う必要があり、設備や時間を必要とするものであった。
【０００５】
そこで、冷却済みの容器入り飲料を保冷することや、常温の容器入り飲料を冷却することが可能な持ち運び可能な冷却具が望まれていた。
【考案の概要】
【考案が解決しようとする課題】
【０００６】
本考案は、簡易な構造かつ容易に使用可能で、保冷および冷却のどちらも可能な容器入り飲料の冷却具を提供することを課題とする。
【課題を解決するための手段】
【０００７】
上記課題を解決するためになされた本考案である容器入り飲料の冷却具は、蓄冷体と、前記蓄冷体の保持部および解除可能な留め部を備えた帯状の本体とからなり、飲料が封入された容器の周面に冷却した前記畜冷体を保持した前記本体を巻き付けて前記留め部により留めることで着脱自在に装着し、前記飲料を冷却または保冷することを特徴とする。
【０００８】
本考案によれば、例えば冷蔵庫や冷凍庫であらかじめ蓄冷体を冷却しておき、使用する際に取り出して飲料が封入された容器の周面に装着するだけで容器入り飲料の冷却または保冷を行うことができ、勿論繰り返し使用することも可能な優れた容器入り飲料の冷却具を提供することができる。
【０００９】
また、前記畜冷体が棒状または板状であり、前記本体に前記畜冷体を保持する保持部の複数個が前記本体の長さ方向に連続して並設されている場合、保持部同士の間（繋ぎ目）で折り曲げが可能となるため、装着時の容器外形への追従性が増し、蓄冷体から容器および飲料への熱伝導効率が高まるため、より早く飲料の冷却を行うことができる。
【００１０】
加えて、前記保持部ごとに複数の前記蓄冷体が並列に保持されている場合、例えば蓄冷体を比較的細幅の棒状体から切り出して形成することが容易となるため材料の入手性に優れ省コスト化が望めるほか、保持部同士の間に加えて蓄冷体同士の間でもある程度折り曲げが可能となるため、より装着時の容器外形への追従性が増しつつも、保持部の数を無用に増加させることなく蓄冷体と容器の接触面積を増大させて、蓄冷体から容器および飲料への熱伝導効率が高まるため、より早く飲料の冷却を行うことができる。
【００１１】
また、前記保持部が前記本体の内側面に形成されており、前記蓄冷体が前記容器の周面に直接接触する場合、蓄冷体から容器および飲料への熱伝導効率が高まるため、より早く飲料の冷却を行うことができる。
【００１２】
更に、前記蓄冷体が金属製である場合、例えば一般的な水を主成分とする蓄冷材と比べて熱伝導率が高いとともに低温化が可能なことから、より早く飲料の冷却を行うことができる。
【００１３】
加えて、前記金属がアルミニウムまたはアルミニウム合金である場合、アルミニウムは金属の中でも比較的比熱が大きいことから冷却効果が長く持続できるとともに、価格も比較的廉価であることから省コスト化も可能であり、且つ質量も比較的軽量であることから軽量化も可能とすることができる。
【００１４】
また、前記本体が断熱層を含む多層構造である場合、断熱層によって蓄冷体の冷気を外部に逃がさずに冷却効果を長く持続できるという効果と、蓄冷体の冷気が利用者の手に伝わりづらく、装着したまま飲料を飲むことも容易となるという効果を発揮できる。
【考案の効果】
【００１５】
本考案によれば、帯状の本体と蓄冷体とからなる簡易な構造かつ容易に使用可能で、保冷および冷却のどちらも可能な容器入り飲料の冷却具を提供することができる。
【図面の簡単な説明】
【００１６】
【図１】容器入り飲料の冷却具の好ましい実施の形態を示す斜視図。
【図２】図１に示した容器入り飲料の冷却具の平面図。
【図３】図２に示したＡ−Ａ線拡大断面図。
【図４】容器入り飲料の冷却具の異なる実施の形態を示す斜視図。
【図５】本考案における蓄冷体を示す図であり、（ａ）は図１に示した容器入り飲料の冷却具に用いられる幅広角柱状の蓄冷体を示す斜視図、（ｂ）は図４に示した容器入り飲料の冷却具に用いられる幅狭角柱状の蓄冷体を示す斜視図、（ｃ）は円柱状の蓄冷体を示す斜視図。
【図６】図１に示した容器入り飲料の冷却具を飲料入りの容器の周面に装着した使用状態を示す斜視図。
【図７】図６の平面図。
【図８】図７のＢ−Ｂ線断面図。
【図９】留め部の構成が異なる容器入り飲料の冷却具を飲料入りの容器の周面に装着した使用状態を示す斜視図。
【図１０】留め部の構成が更に異なる容器入り飲料の冷却具を飲料入りの容器の周面に装着した使用状態を示す斜視図。
【考案を実施するための形態】
【００１７】
以下、図面に基づいて本考案の実施の形態について説明する。
【００１８】
図１は本考案である容器入り飲料の冷却具の好ましい実施の形態を示す斜視図、図２は図１に示した容器入り飲料の冷却具１Ａの平面図、図３は図２に示したＡ−Ａ線拡大断面図である。
【００１９】
これら図に示したように、容器入り飲料の冷却具１Ａは、複数の棒状の蓄冷体１０と、帯状の本体２０とからなり、所定の方向に丸めるように巻いて使用するものである。以下の説明において、容器入り飲料の冷却具の「内周面」は容器入り飲料の冷却具を丸めた際の内側の面、容器入り飲料の冷却具の「外周面」は容器入り飲料の冷却具を丸めた際の外側の面を指すものとする。
【００２０】
前記蓄冷体１０は、金属により形成されており、本実施の形態ではアルミニウムを用いている。その形状は棒状、または板状とも呼べる幅広の角柱形状である（図５（ａ）参照）。
【００２１】
前記蓄冷体１０を金属により形成したことで、金属の優れた熱伝導率によって、蓄冷体自体を冷却する際に素早く冷却することが可能であるとともに、冷却後の蓄冷体から容器入り飲料へと冷気を伝達する際の効率も優れ、より早く飲料の冷却を行うことができる。
【００２２】
そして、アルミニウムは金属の中でも比較的比熱が大きいことから冷却効果が長く持続できるとともに、価格も比較的廉価であることから省コスト化も可能であり、且つ質量も比較的軽量であることから軽量化も可能とすることができる。
【００２３】
なお、前記蓄冷体１０はマグネシウムなど他の金属を添加したアルミニウム合金であってもよい。アルミニウム合金もアルミニウムと同様に優れた熱特性やコスト優位性などを発揮できるため好適である。
【００２４】
前記容器入り飲料の冷却具１Ａに用いる棒状または板状の蓄冷体は幅広角柱形状の蓄冷体１０を用いているが（図５（ａ）参照）、その他、幅狭角柱形状の蓄冷体１１（図５（ｂ）参照）、円柱形状の蓄冷体１２（図５（ｃ）参照）など他の形状のものも使用可能である。
【００２５】
前記本体２０は、全体が生地により形成されて可撓性を有しており、幅方向の両端に形成した複数の保持部２２と、内周面側における長さ方向の一方端および外周面側における長さ方向の他方端に取り付けられた留め部２３と、を有する。
【００２６】
前記本体２０は、複数の層を組み合わせた生地２１からなり、本実施の形態においては、外周面側に位置するナイロンやポリエステルなどの合成繊維製のカバー層２０ａと、内周面側に位置する発泡ウレタン製の断熱層２０ｂとを一体に形成した生地を用いている（図３参照）。
【００２７】
このように断熱層２０ｂを設けたことで、断熱層２０ｂによって蓄冷体１０の冷気を外部に逃がさずに冷却効果を長く持続できるという効果と、蓄冷体１０の冷気が利用者の手に伝わりづらく、装着したまま飲料を飲むことも容易となるという効果を発揮できる。
【００２８】
なお、前記断熱層２０ｂはその表面に蒸着や接着したアルミニウムによる遮熱層を更に有するものとしてもよい（図示せず）。
【００２９】
前記本体２０は、前記生地２１の内周面側に所定数の前記蓄冷体１０を乗せたのち、前記生地２１を幅方向の両端において所定の長さだけ折り返し、縫着や溶着などの所定の固着手段によって折り返した状態で固着することによって、前記保持部２２を形成するものである。
【００３０】
前記保持部２２に保持された前記蓄冷体１０同士は、所定の間隔が設けられている。このとき、蓄冷体１０は前記保持部２２から脱落しないように固定して保持されているが、着脱可能な構造としておき、蓄冷体１０のみを冷蔵庫や冷凍庫などに入れて冷却するものとしてもよい（図示せず）。
【００３１】
前記留め部２３は、本実施の形態においては面ファスナーを用いており、内周面側における長さ方向の一方端に取り付けられたフック面２３ａと、外周面側における長さ方向の他方端に取り付けられたループ面２３ｂとからなり、解除可能に留めるものである。
【００３２】
なお、留め部は面ファスナーに限らず、解除可能に留める留め具であればその構成を問わない。例えば、ボタン留めによるもの、ホック留めによるもの、紐留めによるもの、その他従来周知の留め具が使用可能である。
【００３３】
このように、前記保持部２２に保持された前記蓄冷体１０同士、所定の間隔を開けて前記本体２０の前記長さ方向に並列させたことによって、前記蓄冷体１０同士の隙間で前記本体２０を内側に丸めることが可能となる。
【００３４】
前記保持部２２は前記本体２０の幅方向に合計６組形成されており、前記蓄冷体１０は前記保持部２２の組数と同数の合計６個がそれぞれ保持されている。
【００３５】
図４は本考案である容器入り飲料の冷却具の異なる実施の形態を示す斜視図である。
【００３６】
前記図４に示した容器入り飲料の冷却具１Ｂは、前記容器入り飲料の冷却具１Ａと異なり、前記保持部２２が前記本体２０の幅方向に合計５組形成されており、前記保持部２２に保持された蓄冷体１１は合計１４個が前記保持部に保持されている。
【００３７】
本実施の形態における蓄冷体は前記蓄冷体１０よりも幅狭の蓄冷体１１を用いており、前記保持部２２の各組にはそれぞれ３本または２本の蓄冷体１１が保持されている。
【００３８】
この幅狭の蓄冷体１１を用いた容器入り飲料の冷却具１Ｂによれば、例えば蓄冷体を棒状体から切り出して形成することが容易となるため材料の入手性に優れ省コスト化が望めるほか、保持部２２同士の間に加えて蓄冷体１１同士の間でもある程度折り曲げが可能となるため、より装着時の容器外形への追従性が増しつつも、保持部２２の数を無用に増加させることなく蓄冷体１１と容器の接触面積を増大させて、蓄冷体１０から容器および飲料への熱伝導効率が高まるため、より早く飲料の冷却を行うことができる。
【００３９】
このように、保持部の形状や蓄冷体の形状およびそれらの個数は少なくとも２つ以上で増減可能であり、保持部の組数は本体を丸めた際になるべく円形に近い形状とするために４組〜８組程度とすることが好適であり、前記容器入り飲料の冷却具１Ａ，１Ｂのように６組または５組の保持部とすることが特に望ましい。
【００４０】
図６は容器入り飲料の冷却具１Ａの使用状態を示す斜視図、図７は図６の平面図であり、これらの図に示すように、容器入り飲料の冷却具１Ａは飲料入りの容器Ｃに前記本体２０を巻き付けた後に前記留め部２３により解除可能に留めることによって前記容器Ｃに装着して使用することができる。
【００４１】
容器入り飲料の冷却具１Ａを使用する際は、前記容器Ｃの内容物である飲料Ｄを快適な飲用に適した温度（例えばビールの場合は４℃程度）に冷却または保冷するため、冷蔵庫または冷凍庫に入れて蓄冷体１０を十分に冷却したのち、前記容器Ｃに装着して使用する。
【００４２】
このとき、本実施の形態において蓄冷体はアルミニウムを用いていることから、冷却するために冷凍庫を用いた場合にはその庫内温度に応じて零下に冷却することが可能であるため、従来知られた水を主成分とする蓄冷材と比較して、より低温に冷却することができる。
【００４３】
前記容器Ｃ内の飲料Ｄを飲用する際は、装着した前記容器入り飲料の冷却具１Ａの前記留め部２３を外して装着を解除してから前記容器Ｃを手に取って飲料Ｄを飲用することも可能であるが、前記容器入り飲料の冷却具１Ａを装着したままであっても問題なく装着した前記容器入り飲料の冷却具１Ａごと手に取って飲料Ｄを飲用することも可能である。
【００４４】
本実施の形態において前記容器Ｃは缶を用いるものとして説明したが、例えばペットボトルや瓶など、缶以外の容器であっても使用可能であることは勿論である。
【００４５】
図８は前記図７のＢ−Ｂ線断面図である。この図に示すように、容器入り飲料の冷却具１Ａを前記容器Ｃに装着した状態において、各蓄冷体１０は前記容器Ｃの周面に直接接触する。
【００４６】
このように前記蓄冷体１０を前記容器Ｃの周面に直接接触させることで、前記蓄冷体１０から前記容器Ｃおよび前記飲料Ｄへの熱伝導効率が高まるため、より早く飲料の冷却を行うことができる。
【００４７】
図９は留め部の構成が異なる容器入り飲料の冷却具の使用状態を示す斜視図である。この図に示すように、容器入り飲料の冷却具１Ｃの留め部２４は前記容器入り飲料の冷却具１Ａの面ファスナーを用いた留め部２３と異なり、ボタン２４ａおよび紐２４ｂとからなるボタン留め構造である。
【００４８】
この容器入り飲料の冷却具１Ｃは、飲料入りの容器Ｃに前記本体２０を巻き付けた後に前記ボタン２４ａに前記紐２４ｂを掛け留めることによって前記容器Ｃに装着して使用することができる。
【００４９】
図１０は留め部の構成が異なる容器入り飲料の冷却具の使用状態を示す斜視図である。この図に示すように、容器入り飲料の冷却具１Ｄの留め部２５は前記容器入り飲料の冷却具１Ａの面ファスナーを用いた留め部２３と異なり、ゴム紐２５ａからなる紐留め構造である。
【００５０】
この容器入り飲料の冷却具１Ｄは、飲料入りの容器Ｃに前記本体２０を巻き付けた後に前記ゴム紐２５ａを一度ひねって前記本体２０の外周面を一周するように掛け留めることによって前記容器Ｃに装着して使用することができる。
【００５１】
以上のとおり、本考案によれば、帯状の本体と棒状または板状の蓄冷体とからなる簡易な構造かつ容易に使用可能で、保冷および冷却のどちらも可能な容器入り飲料の冷却具を提供することができる。
【符号の説明】
【００５２】
１Ａ，１Ｂ，１Ｃ，１Ｄ  容器入り飲料の冷却具、Ｃ  容器、Ｄ  飲料、１０，１１，１２  蓄冷体、２０  本体、２１  生地、２１ａ  カバー層、２１ｂ  断熱層、２２  保持部、２３  留め部、２３ａ  フック面、２３ｂ  ループ面、２４  留め部、２４ａ  ボタン、２４ｂ  紐、２５  留め部、２５ａ  ゴム紐
【図１】
0003232781.tif 000003
【図２】
0003232781.tif 000004
【図３】
0003232781.tif 000005
【図４】
0003232781.tif 000006
【図５】
0003232781.tif 000007
【図６】
0003232781.tif 000008
【図７】
0003232781.tif 000009
【図８】
0003232781.tif 000010
【図９】
0003232781.tif 000011
【図１０】
0003232781.tif 000012